【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
第１のインターフェイスポートおよび電力の供給を受ける第１電源入力部を有する電子機器と、
前記第１のインターフェイスポートとケーブルを介して接続される第２のインターフェイスポート、前記第２のインターフェイスポートに接続されるハブ、前記ハブに接続される第３のインターフェイスポート、電源から電力の供給を受ける第２電源入力部、前記第１電源入力部と電源ケーブルを介して接続して前記第２電源入力部に供給される電力を前記第１電源入力部に出力する電源出力部、および前記第２電源入力部に供給される電力を予め定められた設定電圧の出力電力に変換して前記第３のインターフェイスポートに供給する電力供給部を有する接続装置と、
を備えることを特徴とする電子機器ユニット。
【請求項２】
前記電力供給部は、電力を前記設定電圧の前記出力電力に変換する変換動作を行う変換部と、前記第２のインターフェイスポートへの所定電圧の信号の入力を監視して前記所定電圧の信号に基づいて前記変換部での前記変換動作の実行と停止を制御する動作制御部と、を備える請求項１に記載の電子機器ユニット。
【請求項３】
前記動作制御部は、前記所定電圧の信号が入力されている場合に前記変換部に前記変換動作を実行させ、前記所定電圧の信号の入力がない場合に前記変換部の前記変換動作を停止させる請求項２に記載の電子機器ユニット。
【請求項４】
前記接続装置は、前記変換部の前記変換動作を停止させる停止動作を前記動作制御部に行わせるか否かを設定する動作設定部を有する請求項３に記載の電子機器ユニット。
【請求項５】
前記動作設定部は、前記停止動作を前記動作制御部に行わせるか否かを切り換えるスイッチである請求項４に記載の電子機器ユニット。
【請求項６】
前記電子機器の前記第１電源入力部と前記接続装置の前記第２電源入力部とは、同じ電圧の電力によって動作する請求項１ないし５のいずれか１項に記載の電子機器ユニット。
【請求項７】
第１のインターフェイスポート、電力の供給を受ける第１電源入力部、及び印刷を行う印刷部を有する印刷装置と、
前記第１のインターフェイスポートとケーブルを介して接続される第２のインターフェイスポート、前記第２のインターフェイスポートに接続されるハブ、前記ハブに接続される第３のインターフェイスポート、電源から電力の供給を受ける第２電源入力部、前記第１電源入力部と電源ケーブルを介して接続して前記第２電源入力部に供給される電力を前記第１電源入力部に出力する電源出力部、および前記第２電源入力部に供給される電力を予め定められた設定電圧の出力電力に変換して前記第３のインターフェイスポートに供給する電力供給部を有する接続装置と、
を備えることを特徴とする印刷ユニット。
【請求項８】
データが入力されるデータ入力インターフェイスポートと、
前記データ入力インターフェイスポートに接続されるハブと、
前記ハブに接続される前記データ入力インターフェイスポートと異なるインターフェイスポートと、
電力の供給を受ける電源入力部と、
前記電源入力部に供給される電力を出力する電源出力部と、
前記電源入力部に供給される電力を予め定められた設定電圧の出力電力に変換して前記インターフェイスポートに供給する電力供給部と、
を有することを特徴とする接続装置。
【手続補正２】
【補正対象書類名】明細書
【補正対象項目名】０００７
【補正方法】変更
【補正の内容】
【０００７】
上記課題を解決するために、本発明の電子機器ユニットは、第１のインターフェイスポートおよび電力の供給を受ける第１電源入力部を有する電子機器と、前記第１のインターフェイスポートとケーブルを介して接続される第２のインターフェイスポート、前記第２のインターフェイスポートに接続されるハブ、前記ハブに接続される第３のインターフェイスポート、電源から電力の供給を受ける第２電源入力部、前記第１電源入力部と電源ケーブルを介して接続して前記第２電源入力部に供給される電力を前記第１電源入力部に出力する電源出力部、および前記第２電源入力部に供給される電力を予め定められた設定電圧の出力電力に変換して前記第３のインターフェイスポートに供給する電力供給部を有する接続装置と、を備えることを特徴とする。
【手続補正３】
【補正対象書類名】明細書
【補正対象項目名】０００９
【補正方法】変更
【補正の内容】
【０００９】
本発明において、前記電力供給部は、電力を前記設定電圧の前記出力電力に変換する変換動作を行う変換部と、前記第２のインターフェイスポートへの所定電圧の信号の入力を監視して前記所定電圧の信号に基づいて前記変換部での前記変換動作の実行と停止を制御する動作制御部と、を備えることが望ましい。例えば、電子機器が第１のインターフェイスポートとしてＵＳＢインターフェイスポートを備える場合には、電子機器の電源がオンとなると電子機器の第１のインターフェイスポートに信号が供給される。一方、電子機器の電源がオフとなると電子機器の第１のインターフェイスポートに信号が供給されなくなる。従って、第１のインターフェイスポートに接続されている接続装置の第２のインターフェイスポートへの信号の入力を監視して変換部を制御すれば、電子機器の電源のオンやオフに連動して接続装置の動作を制御できる。
【手続補正４】
【補正対象書類名】明細書
【補正対象項目名】００１０
【補正方法】変更
【補正の内容】
【００１０】
本発明において、前記動作制御部は、前記所定電圧の信号が入力されている場合に前記変換部に前記変換動作を実行させ、前記所定電圧の信号の入力がない場合に前記変換部の前記変換動作を停止させることが望ましい。このようにすれば、電子機器の電源のオンに連動させて接続装置の変換部の変換動作を停止できるので、電子機器の電源がオフにされた後に変換部の変換動作が継続されて電力が消費されてしまうことを防止できる。
【手続補正５】
【補正対象書類名】明細書
【補正対象項目名】００１３
【補正方法】変更
【補正の内容】
【００１３】
本発明において、前記電子機器の前記第１電源入力部と前記接続装置の前記第２電源入力部とは、同じ電圧の電力によって動作することが望ましい。このようにすれば、電子機器および接続装置の一方を使用する場合に、電子機器ユニットに使用されていたＡ／Ｃアダプターを使用できる。
【手続補正６】
【補正対象書類名】明細書
【補正対象項目名】００１４
【補正方法】変更
【補正の内容】
【００１４】
次に、本発明の印刷ユニットは、第１のインターフェイスポート、電力の供給を受ける第１電源入力部、及び印刷を行う印刷部を有する印刷装置と、前記第１のインターフェイスポートとケーブルを介して接続される第２のインターフェイスポート、前記第２のインターフェイスポートに接続されるハブ、前記ハブに接続される第３のインターフェイスポート、電源から電力の供給を受ける第２電源入力部、前記第１電源入力部と電源ケーブルを介して接続して前記第２電源入力部に供給される電力を前記第１電源入力部に出力する電源出力部、および前記第２電源入力部に供給される電力を予め定められた設定電圧の出力電力に変換して前記第３のインターフェイスポートに供給する電力供給部を有する接続装置と、を備えることを特徴とする。
【手続補正７】
【補正対象書類名】明細書
【補正対象項目名】００１６
【補正方法】変更
【補正の内容】
【００１６】
次に、本発明の接続装置は、データが入力されるデータ入力インターフェイスポートと、前記データ入力インターフェイスポートに接続されるハブと、前記ハブに接続される前記データ入力インターフェイスポートと異なるインターフェイスポートと、電源電力の供給を受ける電源入力部と、前記電源入力部に供給される前記電源電力を出力する電源出力部と、前記電源入力部に供給される前記電源電力を予め定められた設定電圧の出力電力に変換して前記インターフェイスポートに供給する電力供給部と、を有することを特徴とする。